(57)【要約】【課題】  特定のユーザ端末からの視聴要求に対してのみ著作権保護を図ったコンテンツを提供することが可能な、視聴端末限定機能を有するコンテンツ提供装置を提供する。【解決手段】  コンテンツ提供装置が、ユーザ登録のなされているユーザ端末からコンテンツの購入要求を受信すると、当該ユーザのユーザＩＤ、当該コンテンツのコンテンツＩＤ、当該コンテンツを視聴できる有効期間に関する情報を含むチケットを作成して保存し、コンテンツの購入要求を行ったユーザ端末から、ユーザＩＤ、コンテンツＩＤ、当該ユーザ端末を特定するための端末限定キー情報を含むライセンス発行要求を受信すると、ライセンス発行要求に基づき、チケットの有効性をチェックするとともに、端末限定キー情報があらかじめコンテンツ提供装置に登録されているものと一致するか否かをチェックし、いずれのチェックもＯＫの場合に、ユーザ端末に対してライセンスを発行する。【選択図】  図２
2005327113.tif 000002
【特許請求の範囲】
【請求項１】
コンテンツ提供装置が、ネットワークを介して、複数のユーザ端末にコンテンツを提供する方法であって、
ユーザ登録のなされているユーザ端末からコンテンツの購入要求を受信すると、当該ユーザのユーザＩＤ、当該コンテンツのコンテンツＩＤ、当該コンテンツを視聴できる有効期間に関する情報を含むチケットを作成して保存し、
前記コンテンツの購入要求を行ったユーザ端末から、前記ユーザＩＤ、前記コンテンツＩＤ、当該ユーザ端末を特定するための端末限定キー情報を含むライセンス発行要求を受信すると、前記ライセンス発行要求に基づき、前記チケットの有効性をチェックするとともに、前記端末限定キー情報があらかじめ前記コンテンツ提供装置に登録されているものと一致するか否かをチェックし、いずれのチェックもＯＫの場合に、前記ユーザ端末に対してライセンスを発行する方法。
【請求項２】
請求項１に記載の方法を、前記コンテンツ提供装置となるべきコンピュータに実行させるプログラム。
【請求項３】
請求項１に記載の方法を、前記コンテンツ提供装置となるべきコンピュータに実行させるプログラムを記録した、コンピュータ読み取りが可能な記録媒体。
【請求項４】
ネットワークを介して、複数のユーザ端末にコンテンツを提供するコンテンツ提供装置であって、
ユーザ登録のなされているユーザ端末からコンテンツの購入要求を受信すると、当該ユーザのユーザＩＤ、当該コンテンツのコンテンツＩＤ、当該コンテンツを視聴できる有効期間に関する情報を含むチケットを作成して保存する手段と、
前記コンテンツの購入要求を行ったユーザ端末から、前記ユーザＩＤ、前記コンテンツＩＤ、当該ユーザ端末を特定するための端末限定キー情報を含むライセンス発行要求を受信すると、前記ライセンス発行要求に基づき、前記チケットの有効性をチェックするとともに、前記端末限定キー情報があらかじめ前記コンテンツ提供装置に登録されているものと一致するか否かをチェックし、いずれのチェックもＯＫの場合に、前記ユーザ端末に対してライセンスを発行する手段を有する装置。
【発明の詳細な説明】
【技術分野】
【０００１】
本発明は、ネットワークを介して、ユーザ端末からの視聴要求に対してコンテンツを提供するコンテンツ提供装置に関する。
【背景技術】
【０００２】
従来、ＤＲＭ（ディジタル著作権管理、例えば、Ｗｉｎｄｏｗｓ Ｍｅｄｉａ Ｒｉｇｈｔｓ Ｍａｎａｇｅｒ、非特許文献１参照）などのディジタル著作権保護システムでは、端末にＤＲＭ用ソフトをインストールすれば、どのような端末からもサーバにライセンス発行要求が可能となり、著作権保護が図れる。
【非特許文献１】“Ｗｉｎｄｏｗｓ Ｍｅｄｉａ Ｒｉｇｈｔｓ Ｍａｎａｇｅｒ ７”、[ｏｎｌｉｎｅ]、[平成１６年５月１２日検索]、インターネット＜ＵＲＬ：ｈｔｔｐ：／／ｗｗｗ．ｍｉｃｒｏｓｏｆｔ．ｃｏｍ／ｊａｐａｎ／ｍｓｄｎ／ｗｉｎｄｏｗｓｍｅｄｉａ／ｗｍｒｍ７／ｄｅｆａｕｌｔ．ａｓｐ＞
【発明の開示】
【発明が解決しようとする課題】
【０００３】
しかしながら、サーバが特定の端末、例えば、教育システムなどにおいて、特定の場所に設置してある教師用の端末や生徒用の端末からのライセンス発行依頼についてのみライセンスの発行を許可し、その他の端末からのライセンス発行については拒否するというようなことができないという問題があった。
【０００４】
本発明の目的は、１つあるいは複数の特定のユーザ端末からの視聴要求に対してのみ著作権保護を図ったコンテンツを提供することが可能な、視聴端末限定機能を有するコンテンツ提供装置を提供することにある。
【課題を解決するための手段】
【０００５】
上記目的を達成するために、本発明は、コンテンツ提供装置が、ユーザ登録のなされているユーザ端末からコンテンツの購入要求を受信すると、当該ユーザのユーザＩＤ、当該コンテンツのコンテンツＩＤ、当該コンテンツを視聴できる有効期間に関する情報を含むチケットを作成して保存し、コンテンツの購入要求を行ったユーザ端末から、ユーザＩＤ、コンテンツＩＤ、当該ユーザ端末を特定するための端末限定キー情報を含むライセンス発行要求を受信すると、ライセンス発行要求に基づき、チケットの有効性をチェックするとともに、端末限定キー情報があらかじめコンテンツ提供装置に登録されているものと一致するか否かをチェックし、いずれのチェックもＯＫの場合に、ユーザ端末に対してライセンスを発行する。
【発明の効果】
【０００６】
以上説明したように、本発明によれば、ライセンスの発行を許可するユーザ端末を、端末限定キー情報により予め登録しておき、ライセンス発行要求がされたユーザ端末の端末限定キー情報と比較することにより、ライセンスの発行要求を許可するユーザ端末を限定することが可能となる。
【発明を実施するための最良の形態】
【０００７】
次に、本発明の実施の形態について、図面を参照して詳細に説明する。
【０００８】
図１は、本発明におけるシステム構成例を示した図である。
【０００９】
図１において、１００はユーザ端末１〜ユーザ端末ｍ、２００はコンテンツ提供装置である。ユーザ端末１００とコンテンツ提供装置２００は、ネットワークを介して接続されるが、ネットワークとしては、インターネット、電話網、無線網、ＬＡＮなど、どのようなものを用いてもよい。
【００１０】
各ユーザ端末１００には、自身の端末を一意に識別する情報である端末限定キー情報が格納されている。
【００１１】
コンテンツ提供装置２００は、ユーザ端末１００のユーザを登録するユーザ登録部２０１と、ユーザの認証を行うユーザ認証部２０２と、購入したコンテンツをユーザが一定期間視聴できる権利に関する情報であるチケットを管理するチケット管理部２０３と、端末限定キー情報を登録する端末限定キー情報登録部２０４と、ユーザ端末１００からコンテンツの視聴において必要なライセンスの発行要求を受信するライセンス発行要求受信部２０５と、ライセンス発行をするか否かの制御を行うライセンス発行制御部２０６と、コンテンツの提供サービスに必要なコンテンツ配信部２０７を含む。
【００１２】
図２は、本発明の動作シーケンス例を示した図であり、以下、図１と図２に従って本発明の実施例を詳細に説明する。
【００１３】
ステップ２０１で、ユーザは、ユーザ端末１００より、コンテンツ提供装置２００が提供するサービスを受けるのに先立ち、コンテンツ提供装置２００にユーザ登録を行う。
【００１４】
ステップ２０２で、コンテンツ提供装置２００のユーザ登録部２０１は、ユーザ端末１００からユーザ登録要求を受信すると、ユーザＩＤとパスワードを付与し、ステップ２０３で、その結果をユーザ端末１００に返送する。
【００１５】
ユーザがコンテンツ提供装置２００からコンテンツを購入するときは、ステップ２０４で、ユーザはユーザ端末１００からコンテンツ提供装置２００にユーザＩＤとパスワードを送信しログインする。ステップ２０５で、コンテンツ提供装置２００のユーザ認証部２０２は、ログインされたユーザＩＤとパスワードに基づき、ユーザ登録されたユーザか否かを認証し、ステップ２０６で、認証結果をユーザ端末１００に返送する。
【００１６】
ログインが正常に行われると、ユーザはコンテンツ提供装置２００との間で所望のコンテンツを検索する。
【００１７】
ステップ２０７で、ユーザは、購入するコンテンツが決定すると、ユーザ端末１００からコンテンツ提供装置２００に対し、コンテンツの購入要求をする。
【００１８】
ステップ２０８で、コンテンツ提供装置２００のチケット管理部２０３は、購入要求されたコンテンツを一定期間視聴できる権利に関する情報であるチケットを生成・管理する。チケットには、チケットを識別するチケットＩＤ、ユーザＩＤ、チケット開始日、チケット終了日、コンテンツＩＤなどの情報が含まれる。
【００１９】
ステップ２０９で、コンテンツ提供装置２００の端末限定キー情報登録部２０４は、コンテンツの提供を行うことを可能にするユーザ端末を限定するための端末限定キー情報を登録する。端末限定キー情報としては、例えば、ユーザ端末１００を一意に識別するＭＡＣアドレスが用いられる。また、限定するユーザ端末としては複数あってもよく、その場合には、限定する複数のユーザ端末に対応する端末限定キー情報を登録する。
【００２０】
端末限定キー情報登録部２０４への登録方法としては、コンテンツ提供装置２００の運用者により行われるが、運用者により登録する場合、図２の動作例では、チケット生成の後に端末限定キー情報登録部２０４への登録を行っているが、チケット生成〜ライセンス発行前のどのような時点で登録してもよい。
【００２１】
ステップ２１０で、コンテンツ提供装置２００は、購入要求結果をユーザ端末１００に返送する。
【００２２】
ステップ２１１で、ユーザが視聴を行うため、ユーザ端末１００はライセンスの発行要求をする。ライセンスは一般的なＤＲＭの機能の一部であり、有効なライセンス（例えば視聴時点で視聴可能期間内であるライセンス）であれば、端末側のＤＲＭ用ソフトはそのライセンスを用いて暗号化されているライセンスを復号化することによりコンテンツを視聴することができる。その際、ユーザ端末１００は、自身を識別する端末限定キー情報を取得し、ライセンス発行要求に含めてコンテンツ提供装置２００に送信する。端末限定キー情報としては、上述したように、ユーザ端末１００のＭＡＣアドレスなどが用いられる。ライセンス発行要求には、端末限定キー情報以外にコンテンツＩＤ、ユーザＩＤなどが含まれる。
【００２３】
ステップ２１２で、コンテンツ提供装置２００のライセンス発行要求受信部２０５は、ユーザ端末からライセンス発行要求を受信する。コンテンツ提供装置２００のライセンス発行制御部２０６は、ライセンス発行要求受信部２０５により受信したライセンス発行要求のユーザＩＤとコンテンツＩＤに基づき、チケット管理部２０３により発行されたチケットを検索し、チケットＩＤ、チケット開始日、チケット終了日などを取得する。取得したチケット開始日とチケット終了日からチケットの有効性をチェックし、現時点がチケット開始日とチケット終了日の間にない場合には、ライセンスの発行を拒否し、ステップ２１４で、その旨をユーザ端末１００に通知する。
【００２４】
現時点がチケット開始日とチケット終了日の間にある場合には、ステップ２１５で、ライセンス発行要求に含まれる端末限定キー情報を取り出し、端末限定キー情報登録部２０４にその端末限定キー情報が登録されているか否かをチェックする。登録されていない場合には、ライセンスの発行を拒否し、ステップ２１７で、その旨をユーザ端末に通知する。登録されている場合には、ライセンスの発行を許可し、ステップ２１８で、ライセンスをユーザ端末１００に送信する。
【００２５】
ステップ２１９で、ユーザ端末１００は、コンテンツの視聴要求を行い、ステップ２２０で、コンテンツ提供装置２００は、コンテンツ配信部２０７から要求を行ったユーザ端末１００にコンテンツを配信する。端末側のＤＲＭ用ソフトでは、発行されたライセンスにより暗号化されたコンテンツを復号化することにより、コンテンツを視聴できる。
【００２６】
以上のように、ライセンスの発行を許可するユーザ端末を、端末限定キー情報により予め登録しておき、ライセンス発行要求がされたユーザ端末の端末限定キー情報と比較することにより、特定な端末からのライセンスの発行要求のみを許可することが可能となる。
【００２７】
なお、コンテンツ提供装置２００は、専用のハードウェアにより実現する以外に、その機能を実現するためのプログラムを、コンピュータ読み取りが可能な記録媒体に記録して、この記録媒体に記録されたプログラムを、コンテンツ提供装置２００となるべきコンピュータに読み込ませて実行することにより、実現するものでもよい。コンピュータ読み取りが可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取りが可能な記録媒体とは、インターネットを介してプログラムを送信する場合のように、短時間の間に、動的にプログラムを保持するもの（伝送媒体もしくは伝送波）、コンピュータシステム内部の揮発性メモリのように、一定時間プログラムを保持しているものも含む。
【図面の簡単な説明】
【００２８】
【図１】本発明のシステム構成例を示したブロック図である。
【図２】本発明の動作シーケンス例を示した図である。
【符号の説明】
【００２９】
１００  ユーザ端末
２００  コンテンツ提供装置
２０１  ユーザ登録部
２０２  ユーザ認証部
２０３  チケット管理部
２０４  端末限定キー情報登録部
２０５  ライセンス発行要求受信部
２０６  ライセンス発行制御部
２０７  コンテンツ配信部
２０１〜２２１  ステップ
【図１】
2005327113.tif 000003
【図２】
2005327113.tif 000004